(57)【特許請求の範囲】
【請求項１】
少なくとも一つの蓄電素子と、
前記蓄電素子を挟む少なくとも二つのスペーサと、
前記蓄電素子及び前記スペーサをひとまとめに保持する保持部材と、
前記保持部材と前記スペーサとの間に設けられ、前記蓄電素子と前記スペーサとが並ぶ第一方向と直交する第二方向における前記スペーサの外側に配置されたインシュレータと、を備え、
前記スペーサのそれぞれは、前記第二方向に冷却風を流通させる通風路を形成する風路形成部と、前記第二方向の少なくとも一端に設けられ、前記蓄電素子と前記第二方向で対向する内面を有する風路規制部と、を備え、
前記インシュレータは、前記風路規制部における前記内面とは反対側の面に沿って前記第一方向に延びるように配置され、
前記蓄電素子を挟んで隣り合うスペーサのうちの一方のスペーサの風路規制部と、他方のスペーサの風路規制部とは、前記第一方向及び前記第二方向と直交する第三方向視において、部分的に重なるように配置されている蓄電装置。
【請求項２】
前記スペーサは、前記風路規制部の前記内面から前記蓄電素子に向けて前記第二方向に突出する少なくとも一つの突出部であって、前記風路規制部と対向する前記蓄電素子に当接する突出部を備える、請求項１に記載の蓄電装置。
【請求項３】
前記一方のスペーサ及び前記他方のスペーサは、前記風路規制部の前記内面から前記蓄電素子に向けて前記第二方向に突出する少なくとも一つの突出部であって、前記風路規制部と対向する前記蓄電素子に当接する突出部を備え、前記一方のスペーサの風路規制部における前記突出部と、前記他方のスペーサの風路規制部における前記突出部が、前記第三方向視で部分的に重なるように配置されている、請求項１に記載の蓄電装置。
【請求項４】
前記一方のスペーサの風路規制部は、前記他方のスペーサの風路規制部に向けて突出する凸部を有し、前記他方のスペーサの風路規制部は、前記凸部に対応する凹部を有する請求項１乃至３のいずれか１項に記載の蓄電装置。
【発明の詳細な説明】
【技術分野】
【０００１】
本発明は、蓄電素子を備える蓄電装置に関する。
【背景技術】
【０００２】
電気自動車では容量の大きな電源が必要であるため、複数の電池セルを備えた蓄電装置が用いられる。この種の蓄電装置は、図１２に示すように、複数の電池セル３３を積層してなる電池ブロック（図示しない）と、この電池ブロックの外側にあって積層された電池セル３３を固定してなる電池ホルダー（図示しない）と、積層している電池セル３３の間に挟着されたスペーサ１５と、を備える。
【０００３】
この種の蓄電装置では、電池セル３３とスペーサ１５とが並ぶ方向と直交する方向に冷却風を流通させる冷却隙間５０が、電池セル３３とこれと隣り合うスペーサ１５との間に形成される。冷却風は、冷却隙間５０を流通して、電池セル３３を冷却する。
【０００４】
ところで、この種の蓄電装置では、電池セル３３が組み上げられた状態で、隣り合うスペーサ１５とスペーサ１５との間に隙間が形成されてしまうことがある。
【０００５】
従って、この種の蓄電装置では、冷却風の一部が、電池セル３３の冷却に寄与する前（冷却隙間５０に流入する前）に隙間５５から外部に漏れてしまい、電池セル３３に対する冷却効果が上がらないという問題があった。
【先行技術文献】
【特許文献】
【０００６】
【特許文献１】特開２００９−１７０２５８号公報
【発明の概要】
【発明が解決しようとする課題】
【０００７】
そこで、本発明は、上記問題に鑑み、蓄電素子が組み上げられた状態で、隣り合うスペーサ同士の間に隙間が形成されてしまう場合でも、冷却効率が下がるのを抑制することができる蓄電装置を提供することを課題とする。
【課題を解決するための手段】
【０００８】
本発明に係る蓄電装置は、少なくとも一つの蓄電素子と、蓄電素子を挟む少なくとも二つのスペーサと、前記蓄電素子及び前記スペーサをひとまとめに保持する保持部材と、前記保持部材と前記スペーサとの間に設けられ、前記蓄電素子と前記スペーサとが並ぶ第一方向と直交する第二方向における前記スペーサの外側に配置されたインシュレータと、を備え、スペーサのそれぞれは、前記第二方向に冷却風を流通させる通風路を形成する風路形成部と、第二方向の少なくとも一端に設けられ、前記蓄電素子と前記第二方向で対向する内面を有する風路規制部と、を備え、前記インシュレータは、前記風路規制部における前記内面とは反対側の面に沿って前記第一方向に延びるように配置され、蓄電素子を挟んで隣り合うスペーサのうちの一方のスペーサの風路規制部と、他方のスペーサの風路規制部とは、第一方向及び第二方向と直交する第三方向視において、部分的に重なるように配置されていることを特徴とする。
【０００９】
かかる構成によれば、一方のスペーサの風路規制部と他方のスペーサの風路規制部とは、第三方向に亘って重なる。該重なる部分の第三方向に亘る長さは、風路規制部の第三方向の長さ（高さ）が同一であって該重なる部分が第三方向に真っすぐ延びる（該重なる部分の長さが第三方向において最短距離となる）場合と比較して、長くなる。従って、前記重なる部分を流体が流通する場合には、抵抗が大きくなり、流体の圧力損失が大きくなる。そのため、流体は、前記重なる部分を流れにくくなる。その結果、蓄電素子が組み上げられた状態で前記重なる部分に隙間があいている場合、又は蓄電素子の充電に伴う膨張によって前記重なる部分に隙間が形成される場合に、蓄電素子の冷却に寄与する冷却風が減少するのを防ぐことができる。また、風路規制部の第三方向の長さ（高さ）を変えることなく、流体が流通する距離を長くすることができる。従って、風路規制部のサイズを上げることなく、冷却風による冷却効率の低下が抑制される。
【００１０】
この場合、スペーサは、風路規制部の前記内面から前記蓄電素子に向けて第二方向に突出する少なくとも一つの突出部であって、風路規制部と対向する蓄電素子に当接する突出部を備えていてもよい。
【００１１】
かかる構成によれば、蓄電素子と風路規制部との間を第二方向に突出した突出部が部分的に塞ぐ。これにより、流体が、蓄電素子と風路規制部との間を流通するのを妨げることができる。
【００１２】
この場合、前記一方のスペーサ及び前記他方のスペーサは、前記風路規制部の前記内面から前記蓄電素子に向けて前記第二方向に突出する少なくとも一つの突出部であって、前記風路規制部と対向する前記蓄電素子に当接する突出部を備え、一方のスペーサの風路規制部における前記突出部と、他方のスペーサの風路規制部における前記突出部が、第三方向視で部分的に重なるように配置されていてもよい。
【００１３】
かかる構成によれば、対向する突出部と突出部との間に隙間が形成される場合、該隙間は第三方向において貫通し、その途中位置で迂曲している。風路規制部と蓄電素子との間に流入する流体は、該隙間が迂曲する部分で突出部と衝突する。流体が突出部と衝突すると、圧力損失が生じる。また、前記隙間が第三方向における途中位置で迂曲すると、流体が流通する距離が長くなる。従って、抵抗が大きくなり、流体の圧力損失が大きくなる。これにより、流体は、風路規制部と蓄電素子との間に形成される隙間を流れにくくなる。その結果、蓄電素子の冷却に寄与する冷却風が減少するのを防ぐことができる。従って、冷却風による冷却効率の低下が抑制される。
【００１４】
この場合、一方のスペーサの風路規制部は、他方のスペーサの風路規制部に向けて突出する凸部を有し、他方のスペーサの風路規制部は、凸部に対応する凹部を有していてもよい。
【００１５】
かかる構成によれば、凸部と凹部との間に隙間が形成された場合、該隙間は第三方向において貫通し、その途中位置で迂曲している。前記隙間に流入する流体は、該隙間が迂曲する部分で流路壁と衝突する。流体が流路壁と衝突すると、圧力損失が生じる。即ち、凸部と凹部との間に形成される隙間に迂曲する部分があると抵抗が大きくなり、流体の圧力損失が大きくなる。また、前記隙間が第三方向における途中位置で迂曲すると、流体が流通する距離が長くなり、更に圧力損失を大きくすることができる。そのため、凸部と凹部との間に隙間が形成された場合でも、流体は、該隙間をより流れにくくなる。その結果、蓄電素子の冷却に寄与する冷却風が減少するのを防ぐことができる。従って、冷却風による冷却効率の低下がより抑制される。
【発明の効果】
【００１６】
以上より、本発明によれば、蓄電素子が組み上げられた状態で、隣り合うスペーサ同士の間に隙間が形成された場合でも、冷却効率が下がるのを抑制することができる蓄電装置を提供することができる。
【図面の簡単な説明】
【００１７】
【図１】図１は、本発明の一実施形態に係る蓄電装置の斜視図である。
【図２】図２は、同実施形態に係る蓄電装置に係る蓄電素子の斜視図である。
【図３】図３は、同実施形態に係る蓄電装置に係る蓄電素子の正面図である。
【図４】図４は、同実施形態に係る蓄電装置の斜視図である。
【図５】図５は、同実施形態に係る蓄電装置の内部スペーサ及び外部スペーサ及び蓄電素子の斜視図である。
【図６】図６は、同実施形態に係る蓄電装置の内部スペーサの斜視図である。
【図７】図７（ａ）は、蓄電装置に冷却ダクトが取り付けられた状態を説明するための概念図であり、図７（ｂ）は従来の冷却風の流れを説明するための概念図であり、図７（ｃ）は、本実施形態の冷却風の流れを説明するための概念図である。
【図８】図８は、同実施形態に係る蓄電装置における蓄電素子を挟んでスペーサが配置されている状態を説明する一部側面図である。
【図９】図９は、同実施形態に係る蓄電装置における蓄電素子を挟んでスペーサが配置されている状態を説明する一部断面図である。
【図１０】図１０は、一実施形態に係る蓄電装置における蓄電素子を挟んでスペーサが配置されている状態を説明する一部側面図である。
【図１１】図１１は、一実施形態に係る蓄電装置における蓄電素子を挟んでスペーサが配置されている状態を説明する一部側面図である。
【図１２】図１２は、従来の蓄電装置における蓄電素子を挟んでスペーサが配置されている状態を説明する一部側面図である。
【発明を実施するための形態】
【００１８】
以下、本発明の蓄電装置の一実施形態について、図面を参照しつつ説明する。尚、本実施形態の各構成部材（各構成要素）の名称は、本実施形態におけるものであり、背景技術における各構成部材（各構成要素）の名称と異なる場合がある。
【００１９】
蓄電装置は、図１に示すように、蓄電素子１と、該蓄電素子１に隣り合うスペーサ２と、蓄電素子１及びスペーサ２をひとまとめに保持する保持部材３とを備える。保持部材３は、導電材料により成形される。これに伴い、蓄電装置は、蓄電素子１と保持部材３との間に配置されるインシュレータ４を備える。
【００２０】
蓄電素子１は、図２及び図３に示すように、正極及び負極を含む電極体と、電極体を収容するケース１０と、ケース１０の外面上に配置された一対の外部端子１１とを備える。
【００２１】
ケース１０は、開口を有するケース本体１００と、ケース本体１００の開口を閉じる蓋板１０１であって、外面上に一対の外部端子１１が配置される蓋板１０１とを有する。
【００２２】
ケース本体１００は、閉塞部１００ａと（図３参照）、該閉塞部１００ａを取り囲むように、該閉塞部１００ａの周縁に接続された筒状の胴部１００ｂとを備える。
【００２３】
胴部１００ｂは、間隔をあけて互いに対向する一対の第一壁１００ｃと、一対の第一壁１００ｃを挟んで互いに対向する一対の第二壁１００ｄとを備える。
【００２４】
第一壁１００ｃ及び第二壁１００ｄのそれぞれは、矩形状に形成される。すなわち、第一壁１００ｃ及び第二壁１００ｄのそれぞれの表面は、平坦面であり、四角形状の領域とされている。第一壁１００ｃ及び第二壁１００ｄは、互いの端縁を突き合わせた状態で隣り合って配置される。これに伴い、隣り合う第一壁１００ｃの端縁及び第二壁１００ｄの端縁同士は、全長に亘って接続される。これにより、胴部１００ｂは、角筒状に形成されている。胴部１００ｂの一端は、閉塞部１００ａによって閉塞されている。これに対し、胴部１００ｂの他端は、開口し、蓋板１０１によって閉塞される。
【００２５】
本実施形態において、第一壁１００ｃの表面積は、第二壁１００ｄの表面積よりも広くなっている。これに伴い、胴部１００ｂは、扁平角筒状に形成される。
【００２６】
本実施形態に係る蓄電装置は、複数の蓄電素子１を備える。複数の蓄電素子１のそれぞれは、一方向に整列する。本実施形態において、複数の蓄電素子１のそれぞれは、ケース１０の第一壁１００ｃを一方向に向けて整列している。蓄電装置は、隣り合う二つの蓄電素子１の外部端子１１同士を電気的に接続するバスバーを備える。
なお、以下の説明において、便宜上、蓄電素子１の整列する方向（第一方向）をＸ軸方向という。また、蓄電素子１の整列する方向（Ｘ軸方向）と直交する二軸方向のうちの一つの方向（第二方向）をＹ軸方向といい、残りの一つの方向（第三方向）をＺ軸方向ということとする。これに伴い、各図面には、Ｘ軸方向、Ｙ軸方向、及びＺ軸方向のそれぞれに対応する直交三軸（座標軸）が補助的に図示されている。
【００２７】
スペーサ２は、絶縁性を有する。スペーサ２は、蓄電素子１のケース１０（胴部１００ｂの第一壁１００ｃ）と隣り合うベースと、該ベースに隣り合う蓄電素子１の位置ずれを防止する規制部とを有する。
【００２８】
スペーサ２について、より具体的に説明する。蓄電装置は、上述のように、複数の蓄電素子１を備える。これに伴い、蓄電装置は、図４に示すように、２種類のスペーサ２（２Ａ，２Ｂ）を備える。すなわち、蓄電装置は、スペーサ２として、二つの蓄電素子１間に配置されるスペーサ（以下、内部スペーサという）２Ａと、複数の蓄電素子１のうちの最も端にある蓄電素子１に隣り合うスペーサ（以下、外部スペーサという）２Ｂとを備える。
【００２９】
まず、内部スペーサ２Ａについて説明する。内部スペーサ２Ａは、図５に示すように、蓄電素子１（ケース本体１００の第一壁１００ｃ）に隣り合うベース２０Ａと、該ベース２０Ａに隣り合う二つの蓄電素子１の位置ずれを防止する規制部２１Ａとを有する。また、内部スペーサ２Ａは、ベース２０Ａから突出した弁カバー部２２Ａであって、蓄電素子１の蓋板１０１（ガス排出弁１０１ａ）上に配置される弁カバー部２２Ａを有する。
【００３０】
内部スペーサ２Ａのベース２０Ａは、二つの蓄電素子１に挟み込まれる。そのため、内部スペーサ２Ａのベース２０Ａは、隣り合う二つの蓄電素子１のうちの一方の蓄電素子１と対向する第一面と、該第一面とは反対側の第二面であって、二つの蓄電素子１のうちの他方の蓄電素子１と対向する第二面とを有する。
【００３１】
内部スペーサ２Ａのベース２０Ａは、蓄電素子１の蓋板１０１に対応する位置に配置される第一端と、該第一端とは反対側の第二端であって、蓄電素子１の閉塞部１００ａに対応する位置に配置される第二端とを有する。また、内部スペーサ２Ａのベース２０Ａは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００３２】
内部スペーサ２Ａのベース２０Ａは、該ベース２０Ａの第一端と第三端とが接続される部分である第一角部と、第一端と第四端とが接続される部分である第二角部とを有する。また、内部スペーサ２Ａのベース２０Ａは、第二端と第三端とが接続される部分である第三角部と、第二端と第四端とのそれぞれが接続される部分である第四角部とを有する。
【００３３】
なお、内部スペーサ２Ａのベース２０Ａの第一端及び第二端は、Ｙ軸方向に延びる。そして、内部スペーサ２Ａのベース２０Ａの第三端及び第四端は、Ｚ軸方向に延びる。そのため、内部スペーサ２Ａのベース２０Ａは、略矩形状に形成される。また、内部スペーサ２Ａのベース２０Ａは、蓄電素子１の第一壁１００ｃと略同等の大きさで形成される。
【００３４】
本実施形態に係る蓄電装置において、内部スペーサ２Ａのベース２０Ａの第一面と蓄電素子１との間及び内部スペーサ２Ａのベース２０Ａの第二面と蓄電素子１との間には、流体（冷却用の流体、以下「冷却風」とする）を通過させるための通風路２０３が形成される。
【００３５】
即ち、内部スペーサ２Ａのベース２０Ａは、隣り合う蓄電素子１を冷却する冷却風を流通させる通風路２０３を該蓄電素子１とともに形成可能に構成される。より具体的に説明する。ベース２０Ａは、隣り合う蓄電素子１とともにＹ軸方向に延びる通風路２０３を形成する風路形成部２０４Ａを備える。風路形成部２０４Ａは、Ｚ軸方向に間隔をあけて配置される少なくとも二つの支持部２０１Ａと、Ｚ軸方向に延びる接続部２０２Ａであって、少なくとも二つの支持部２０１Ａを接続する接続部２０２Ａとを備える。
【００３６】
支持部２０１Ａは、Ｘ軸方向で隣り合う二つの蓄電素子１の間隔を決定する。すなわち、支持部２０１Ａは、Ｘ軸方向で隣り合う二つの蓄電素子１の間に通風路２０３となる隙間を確保する。
【００３７】
支持部２０１Ａは、Ｙ軸方向に延び、蓄電素子１のケース１０をＹ軸方向の略全長に亘って支持する。支持部２０１ＡのＸ軸方向の長さは、隣り合う二つの蓄電素子１間に形成される通風路２０３のサイズ（Ｘ軸方向の幅）に応じて設定される。
【００３８】
内部スペーサ２Ａのベース２０Ａには、Ｚ軸方向で隣り合う二つの支持部２０１Ａを接続する接続部２０２Ａであって、二つの支持部２０１ＡのそれぞれのＸ軸方向における一端に接続される接続部２０２Ａと、Ｚ軸方向で隣り合う二つの支持部２０１Ａを接続する接続部２０２Ａであって、二つの支持部２０１ＡのそれぞれのＸ軸方向における他端に接続される接続部２０２Ａとが含まれる。すなわち、内部スペーサ２Ａのベース２０Ａには、当該ベース２０ＡのＸ軸方向における中央位置に対してＸ軸方向の一方側に変位した接続部２０２Ａと、当該ベース２０ＡのＸ軸方向における中央位置に対してＸ軸方向の他方側に変位した接続部２０２Ａとが含まれる。
【００３９】
本実施形態において、Ｘ軸方向の一方側に変位した接続部２０２Ａに接続される二つの支持部２０１Ａのうちの一方の支持部２０１Ａと、Ｘ軸方向の他方側に変位した接続部２０２Ａに接続される二つの支持部２０１Ａのうちの一方の支持部２０１Ａとが共通している。これにより、内部スペーサ２Ａのベース２０Ａは、Ｙ軸方向から見て矩形波形状をなす。すなわち、内部スペーサ２Ａのベース２０Ａにおいて、Ｘ軸方向の一方側に向けて開放した溝を形成する風路形成部２０４Ａと、Ｘ軸方向の他方側に向けて開放した溝を形成する風路形成部２０４ＡとがＺ軸方向に交互に配置されている。
【００４０】
風路形成部２０４Ａは、Ｘ軸方向の一方側で隣り合う蓄電素子１のケース１０によって溝の開放部分が閉じられ、Ｘ軸方向の一方側に変位した通風路２０３であって、該蓄電素子１を冷却するための冷却風を流通させる通風路２０３を形成する。また、風路形成部２０４Ａは、Ｘ軸方向の他方側で隣り合う蓄電素子１のケース１０によって溝の開放部分が閉じられ、Ｘ軸方向の他方側に変位した通風路２０３であって、該蓄電素子１を冷却するための冷却風を流通させる通風路２０３を形成する。
【００４１】
規制部２１Ａは、ベース２０Ａに沿って配置される蓄電素子１のケース１０を拘束可能に構成される。本実施形態において、規制部２１Ａは、蓄電素子１のケース１０を部分的に拘束可能に構成される。
【００４２】
具体的に説明する。本実施形態において、蓄電素子１は、ケース１０の第一壁１００ｃをＸ軸方向に向けて配置される。これに伴い、蓄電素子１は、ケース１０の第一壁１００ｃをベース２０Ａに沿わせた状態で配置される。また、ベース２０Ａ，２０Ａは、蓄電素子１のケース１０のＸ軸方向からの投影形状に対応して形成される。これに伴い、規制部２１Ａは、隣り合うケース１０の第一壁１００ｃの周囲を拘束可能に構成される。
【００４３】
本実施形態において、規制部２１Ａは、ベース２０Ａの四つの角部のそれぞれに沿って設けられる。すなわち、ベース２０Ａは、第一角部、第二角部、第三角部、及び第四角部のそれぞれに規制部２１Ａを備える。
【００４４】
各規制部２１Ａは、ベース２０ＡのＺ軸方向に延びる外縁に接続された第一規制片２１６Ａであって、ベース２０ＡからＸ軸方向に延出した第一規制片２１６Ａと、ベース２０ＡのＹ軸方向に延びる外縁に接続される第二規制片２１７Ａであって、ベース２０ＡからＸ軸方向に延出した第二規制片２１７Ａとを備える。
【００４５】
具体的には、第一角部に設けられた第一規制部２１０Ａは、ベース２０Ａの第三端から延出する第一規制片２１６Ａと、ベース２０Ａの第一端から延出する第二規制片２１７Ａとを備える。第二角部に設けられた第二規制部２１１Ａは、第四端から延出する第一規制片２１６Ａと、ベース２０Ａの第一端から延出する第二規制片２１７Ａとを備える。第三角部に設けられた第三規制部２１２Ａは、ベース２０Ａの第三端から延出する第一規制片２１６Ａと、ベース２０Ａの第二端から延出する第二規制片２１７Ａとを備える。第四角部に設けられた第四規制部２１３Ａは、ベース２０Ａの第四端から延出する第一規制片２１６Ａと、ベース２０Ａの第二端から延出する第二規制片２１７Ａとを備える。
【００４６】
各規制部２１Ａを構成する第一規制片２１６Ａと第二規制片２１７Ａとは、互いに接続され、略直角をなす。これにより、四つの規制部２１Ａは、蓄電素子１のケース１０の四隅を覆い、蓄電素子１を拘束する。すなわち、スペーサ２Ａは、ベース２０Ａの四つの角部に規制部２１Ａを備えることで、隣り合う蓄電素子１におけるＹ軸方向及びＺ軸方向の移動を規制する。具体的には、第一規制片２１６Ａは、蓄電素子１のＹ軸方向の移動を規制し、第二規制片２１７Ａは、蓄電素子１のＺ軸方向の移動を規制する。
【００４７】
本実施形態において、蓄電素子１を冷却するために、冷却風を通風路２０３に流入させる。第一規制片２１６Ａは、冷却風が外部に漏れるのを規制する風路規制部として機能する。
【００４８】
本実施形態における冷却風の流れについて説明する。図７（ａ）に示すように、蓄電装置には、冷却ダクト６が取り付けられている。冷却風を通風路２０３に流入させるために、吸気ファン（図示しない）が設けられている。図７（ａ）において矢印は、冷却風の流れを表している。
【００４９】
図７（ｂ）は、内部スペーサ２Ａ同士の間に形成された隙間、及び内部スペーサ２Ａと蓄電素子１との間に形成された隙間における、従来の冷却風の流れを表したものである。図７（ｃ）は、内部スペーサ２Ａ同士の間に形成された隙間、及び内部スペーサ２Ａと蓄電素子１との間に形成された隙間における、本実施形態の冷却風の流れを表したものである。図７（ｂ）では、冷却風の流れを実線の矢印、図７（ｃ）では、冷却風の流れを破線の矢印とし、図７（ｃ）では、前記隙間における冷却風の流れが図７（ｂ）と比較して抑制されていることを表している。また、図８〜図１１は、第二方向から見た冷却風の前記隙間における流れを矢印で表している。
【００５０】
蓄電素子１を挟んで隣り合う内部スペーサ２Ａのうち一方の内部スペーサ２Ａの第一規制片２１６Ａは、他方の内部スペーサ２Ａの規制部２１Ａに向けて突出する凸部２１４Ａを有している。また、前記他方の内部スペーサ２Ａの規制部２１Ａは、前記凸部２１４Ａに対応する凹部２１５Ａを有している。凸部２１４Ａ及び凹部２１５Ａは、隙間をあけて嵌り合うように形成されている。
【００５１】
具体的に説明する。図８に示すように、蓄電素子１を挟んで隣り合う内部スペーサ２Ａのうちの一方の第一規制片２１６Ａの凸部２１４Ａは、他方の内部スペーサ２Ａに向けて、Ｘ軸方向に突出している。他方の第一規制片２１６Ａの凹部２１５Ａは、前記一方の第一規制片２１６Ａの凸部が突出する方向とは反対方向に窪むことによって、凸部２１４Ａが収まるように形成されている。これによって、凸部２１４Ａ及び凹部２１５Ａは嵌り合うように形成されている。
【００５２】
凸部２１４Ａ及び凹部２１５Ａは、隙間をあけて嵌り合うように形成されている。即ち、凸部２１４Ａにおける突出している側の端縁と、凹部２１５Ａにおける窪んでいる側の端縁との間に隙間が形成されている。
【００５３】
本実施形態に係る凸部２１４Ａは、略台形状に形成されている。凹部２１５Ａは、これに対応して略台形状に窪んで形成されている。
【００５４】
弁カバー部２２Ａは、内部スペーサ２Ａのベース２０Ａの第一端に形成される。より具体的に説明する。弁カバー部２２Ａは、内部スペーサ２Ａのベース２０Ａの第一端の中央部に接続されており、内部スペーサ２Ａのベース２０Ａの第一面に隣り合う蓄電素子１と第二面に隣り合う蓄電素子１とに向かって延びる。そのため、蓄電装置では、蓄電素子１を介して隣り合う内部スペーサ２Ａのそれぞれの弁カバー部２２Ａが協働して蓄電素子１のガス排出弁１０１ａ上を覆う。
【００５５】
本実施形態に係る蓄電装置は、上述のように、複数の蓄電素子１を備えるため、内部スペーサ２Ａは、隣り合う蓄電素子１の間のそれぞれに配置されている。すなわち、蓄電装置は、複数の内部スペーサ２Ａを備える。
【００５６】
次に、外部スペーサ２Ｂについて説明する。外部スペーサ２Ｂは、蓄電素子１（ケース本体１００の第一壁１００ｃ）に対向する第一面及び該第一面とは反対側の第二面を有するベース（以下、ベースという）２０Ｂと、該ベース２０Ｂに隣り合う蓄電素子１の位置を決定する規制部（以下、規制部という）２１Ｂとを有する。
【００５７】
また、本実施形態に係る外部スペーサ２Ｂは、ベース２０Ｂと保持部材３の後述する終端部材３０とが対向する。すなわち、外部スペーサ２Ｂは、蓄電素子１と終端部材３０との間に配置される。これに伴い、外部スペーサ２Ｂは、ベース２０Ｂの終端部材３０と対向する位置に、終端部材３０と嵌合する嵌合部２２Ｂを有する。すなわち、外部スペーサ２Ｂは、ベース２０Ｂに対する終端部材３０の位置を決定するための嵌合部２２Ｂであって、ベース２０Ｂの第二面に形成される嵌合部２２Ｂを有する。また、外部スペーサ２Ｂは、ベース２０Ｂに対する終端部材３０の位置を決定するための軸部２３Ｂであって、ベース２０Ｂの第二面から突出した軸部２３Ｂを有する。
【００５８】
外部スペーサ２Ｂは、ベース２０Ｂの第二面から終端部材３０に向けて突出する外部接触部２４Ｂであって、終端部材３０に当接する外部接触部２４Ｂを有する。本実施形態において、外部スペーサ２Ｂは、ベース２０Ｂの第一面から蓄電素子１に向けて突出する支持部２０１Ｂであって、該蓄電素子１に当接する支持部２０１Ｂを有する。
【００５９】
外部スペーサ２Ｂのベース２０Ｂは、Ｘ軸方向と直交するＹ軸方向及びＺ軸方向に広がっている。すなわち、ベース２０Ｂは、プレート状に形成される。外部スペーサ２Ｂのベース２０Ｂは、蓄電素子１の蓋板１０１に対応する位置に配置される第一端と、該第一端とは反対側の第二端であって、蓄電素子１の閉塞部１００ａに対応する位置に配置される第二端とを有する。また、外部スペーサ２Ｂのベース２０Ｂは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００６０】
外部スペーサ２Ｂのベース２０Ｂは、第一端と第三端とが接続される部分である第一角部と、第一端と第四端とが接続される部分である第二角部とを有する。また、外部スペーサ２Ｂのベース２０Ｂは、第二端と第三端とが接続される部分である第三角部と、第二端と第四端とのそれぞれが接続される部分である第四角部とを有する。
【００６１】
なお、外部スペーサ２Ｂのベース２０Ｂの第一端及び第二端は、Ｙ軸方向に延びる。そして、外部スペーサ２Ｂのベース２０Ｂの第三端及び第四端は、Ｚ軸方向に延びる。そのため、外部スペーサ２Ｂのベース２０Ｂは、略矩形状である。また、外部スペーサ２Ｂのベース２０Ｂは、蓄電素子１の第一壁１００ｃと略同等の大きさである。
【００６２】
本実施形態に係る蓄電装置において、外部スペーサ２Ｂのベース２０Ｂの第一面と蓄電素子１との間には、該ベース２０Ｂの第一面と蓄電素子１との間に流体を通過させるための通風路２０３が形成される。
【００６３】
即ち、外部スペーサ２Ｂのベース２０Ｂは、隣り合う蓄電素子１を冷却する冷却風を流入させる通風路２０３を該蓄電素子１とともに形成可能に構成される。外部スペーサ２Ｂにおける蓄電素子１側の構成は内部スペーサ２Ａのベース２０Ａと基本的に共通している。以下、内部スペーサ２Ａと異なる構成について説明する。
【００６４】
支持部２０１Ｂは、Ｘ軸方向で隣り合う外部スペーサ２Ａと蓄電素子１の間隔を決定する。即ち、支持部２０１Ｂは、Ｘ軸方向で隣り合う外部スペーサ２Ａと蓄電素子１との間に通風路２０３となる隙間を確保する。支持部２０１ＢのＸ軸方向の長さは、隣り合う外部スペーサ２Ａと蓄電素子１間に形成される通風路２０３のサイズ（Ｘ軸方向の幅）に応じて設定される。
【００６５】
外部スペーサ２Ｂのベース２０Ｂには、Ｚ軸方向で隣り合う二つの支持部２０１Ｂを接続する接続部２０２Ｂであって、二つの支持部２０１ＢのＸ軸方向におけるベース２０Ｂ側の一端に接続される接続部２０２Ｂが含まれる。即ち、外部スペーサ２Ｂのベース２０Ｂには、Ｚ軸方向に並ぶ接続部２０２Ｂが含まれる。
【００６６】
本実施形態において、支持部２０１Ｂは、Ｚ軸方向で隣り合う二つの接続部２０２Ｂに接続される。即ち、Ｚ軸方向で隣り合う二つの接続部２０２Ｂは、一つの支持部２０１Ｂを共有している。これにより、外部スペーサ２Ｂのベース２０Ｂは、Ｘ軸方向における蓄電素子１側に開放した溝を形成する風路形成部２０４Ｂが配置されている。
【００６７】
風路形成部２０４Ｂは、外部スペーサ２Ｂと隣り合う蓄電素子１のケース１０によって溝の開放部分が閉じられ、該蓄電素子１を冷却するための冷却風を流入させる通風路２０３を形成する。
【００６８】
規制部２１Ｂは、ベース２０Ｂに沿って配置される蓄電素子１のケース１０を拘束可能に構成される。本実施形態において、規制部２１Ｂは、蓄電素子１のケース１０を部分的に拘束可能に構成される。
【００６９】
具体的に説明する。本実施形態において、蓄電素子１は、ケース１０の第一壁１００ｃをＸ軸方向に向けて配置される。これに伴い、蓄電素子１は、ケース１０の第一壁１００ｃをベース２０Ｂに沿わせた状態で配置される。これに伴い、規制部２１Ｂは、外部スペーサ２Ｂと隣り合うケース１０の第一壁１００ｃの周囲を拘束可能に構成される。
【００７０】
本実施形態において、規制部２１Ｂは、ベース２０Ｂの四つの角部のそれぞれに沿って設けられる。すなわち、外部スペーサ２Ｂは、ベース２０Ｂの第一角部、第二角部、第三角部、及び第四角部のそれぞれに規制部２１Ｂを備える。
【００７１】
各規制部２１Ｂは、ベース２０ＢのＺ軸方向に延びる外縁に接続された第一規制片２１６Ｂであって、ベース２０ＢからＸ軸方向に延出した第一規制片２１６Ｂと、ベース２０ＢのＹ軸方向に延びる外縁に接続される第二規制片２１７Ｂであって、ベース２０ＢからＸ軸方向に延出した第二規制片２１７Ｂとを備える。
【００７２】
具体的には、第一角部に設けられた第一規制部２１０Ｂは、ベース２０Ｂの第三端から延出する第一規制片２１６Ｂと、ベース２０Ｂの第一端から延出する第二規制片２１７Ｂとを備える。第二角部に設けられた第二規制部２１１Ｂは、第四端から延出する第一規制片２１６Ｂと、ベース２０Ｂの第一端から延出する第二規制片２１７Ｂとを備える。第三角部に設けられた第三規制部２１２Ｂは、ベース２０Ｂの第三端から延出する第一規制片２１６Ｂと、ベース２０Ｂの第二端から延出する第二規制片２１７Ｂとを備える。第四角部に設けられた第四規制部２１３Ｂは、ベース２０Ｂの第四端から延出する第一規制片２１６Ｂと、ベース２０Ｂの第二端から延出する第二規制片２１７Ｂとを備える。
【００７３】
各規制部２１Ｂを構成する第一規制片２１６Ｂと第二規制片２１７Ｂとは、互いに接続され、略直角をなす。これにより、各規制部２１Ｂは、蓄電素子１のケース１０の四隅を覆い、蓄電素子１を拘束する。すなわち、スペーサ２Ｂは、ベース２０Ｂの四つの角部に規制部２１Ｂを備えることで、外部スペーサ２Ａと隣り合う蓄電素子１におけるＹ軸方向及びＺ軸方向の移動を規制する。具体的には、第一規制片２１６Ｂは、蓄電素子１のＹ軸方向の移動を規制し、第二規制片２１７Ｂは、蓄電素子１のＺ軸方向の移動を規制する。
【００７４】
本実施形態において、蓄電素子１を冷却するために、冷却風を通風路２０３に流入させる。第一規制片２１６Ｂは、冷却風が外部に漏れるのを規制する風路規制部として機能する。
【００７５】
外部スペーサ２Ｂは、蓄電素子１を挟んで内部スペーサ２Ａと隣り合う。外部スペーサ２Ｂの第一規制片２１６Ｂは、蓄電素子１を挟んで隣り合う内部スペーサ２Ａの規制部２１Ａに向けて突出する凸部２１４Ｂを有している。また、前記内部スペーサ２Ａの規制部２１Ａは、前記凸部２１４Ｂに対応する凹部２１５Ａを有している。凸部２１４Ｂ及び凹部２１５Ａは、隙間をあけて嵌り合うように形成されている。
【００７６】
本実施形態に係る凸部２１４Ｂは、略台形状に形成されている。即ち、凸部２１４Ｂは、対応する凹部２１５Ａの底部に近づくにつれて凸部２１４ＢのＺ軸方向の長さが短くなるように形成されている。これに伴い、凹部２１５Ａは、自身の底部に近づくにつれて凹部２１５ＡのＺ軸方向の長さが短くなるように形成されている。
【００７７】
本実施形態における一対の外部スペーサ２Ｂは、一方の外部スペーサ２Ｂの４つの第一規制片２１６Ｂは凸部２１４Ｂを、他方の外部スペーサ２Ｂの４つの第一規制片２１６Ｂは凹部２１５Ｂを有している。
【００７８】
本実施形態に係る凸部２１４Ｂと凹部２１５Ａは、嵌り合った状態で、凸部２１４Ｂと凹部２１５ＡとのＸ軸方向における距離が、最も大きくなるように形成されている。即ち、凸部２１４Ｂと凹部２１５ＡとのＸ軸方向以外の方向における距離は、部分的にＸ軸方向における距離よりも小さく形成されている。従って、凸部２１４Ｂと凹部２１５Ａとの間には、相対的に狭い部分が形成されている。
【００７９】
嵌合部２２Ｂは、外部スペーサ２Ｂのベース２０Ｂの第二面から保持部材３（後述する終端部材３０）に向かって延びる延出部２２０Ｂを有する。
【００８０】
軸部２３Ｂは、後述する終端部材３０の挿込穴３００ａに挿通される。
【００８１】
上述のように、外部接触部２４Ｂは、外部スペーサ２Ｂのベース２０Ｂから終端部材３０に向けて突出し、終端部材３０に当接している。そのため、蓄電装置では、外部スペーサ２Ｂと、終端部材３０との間に隙間が形成されている。
【００８２】
本実施形態に係る外部スペーサ２Ｂは、上述のように、蓄電素子１を介して該内部スペーサと隣り合うように配置される。すなわち、蓄電装置は、一対の外部スペーサ２Ｂを備える。外部スペーサ２Ｂは、複数の蓄電素子１のうちの最も端にある蓄電素子１に隣り合う。すなわち、外部スペーサ２Ｂは、整列する複数の蓄電素子１を挟み込むように一対設けられる。
【００８３】
また、一対の外部スペーサ２Ｂのそれぞれは、上述のように、第一面が蓄電素子１のケース本体１００と対向する。そのため、一対の外部スペーサ２Ｂのそれぞれは、互いの外部スペーサ２Ｂのベース２０Ｂの第一面同士が向かい合うようにして配置されている。従って、蓄電装置において、一対の外部スペーサ２Ｂのそれぞれは、複数の蓄電素子１が整列する方向（以下、Ｘ軸方向とする）において互いに対称となるように配置されている。
【００８４】
本実施形態において、保持部材３は、金属製である。保持部材３は、図４に示すように、各外部スペーサ２Ｂと隣り合う位置のそれぞれに配置される一対の終端部材３０と、該一対の終端部材３０のそれぞれを接続するフレーム３１とを備える。
【００８５】
一対の終端部材３０のそれぞれは、外部スペーサ２Ｂと対向する第一面と、該第一面とは反対側の第二面とを有する。一対の終端部材３０のそれぞれは、外部スペーサ２Ｂのベース２０Ｂから延びる外部接触部２４Ｂに当接する圧接部３００を有する。
【００８６】
終端部材３０は、蓄電素子１の蓋板１０１と対応する位置に配置される第一端と、該第一端とは反対側の第二端（蓄電素子１の閉塞部１００ａと対応する位置に配置される第二端）とを有する。また、終端部材３０は、蓄電素子１の一方の第二壁１００ｄと対応する位置に配置される第三端と、該第三端とは反対側の第四端（蓄電素子１の他方の第二壁１００ｄと対応する位置に配置される第四端）とを有する。
【００８７】
そして、圧接部３００は、外部スペーサ２Ｂの軸部２３Ｂに対応する位置に形成される挿込穴３００ａを有する。また、圧接部３００は、各角部のそれぞれに形成される複数（本実施形態では、四つ）の貫通穴３００ｂを有する。
【００８８】
インシュレータ４は、絶縁性を有する材料で構成されている。そして、インシュレータ４は、一対の第一接続部３１０のそれぞれと、スペーサ２（内部スペーサ２Ａ及び外部スペーサ２Ｂ）との間に配置される一対の第一絶縁部４０と、一対の第二接続部３１１のそれぞれとスペーサ２（内部スペーサ２Ａ及び外部スペーサ２Ｂ）との間に配置される一対の第二絶縁部４１とを有する。
【００８９】
以下、本発明の他の実施形態に係る蓄電装置について、添付図面を参照しつつ説明する。なお、上記の実施形態と共通する構成については同じ符号を付して、上記実施形態の説明を代用し、ここでの説明は繰り返さない。
【００９０】
本実施形態において、内部スペーサ２Ａは、第一規制片２１６Ａにおける蓄電素子１と対向する面から該蓄電素子１に向けてＹ軸方向に突出する突出部２５であって、該蓄電素子１の胴部１００ｂと当接する突出部２５を有している。
【００９１】
一方の内部スペーサ２Ａにおける突出部２５と、該スペーサ２Ａに対して蓄電素子１を挟んで隣り合う他方の内部スペーサ２Ａにおける突出部２５が、第三方向で部分的に対向するように配置されている。以下、一方の内部スペーサ２Ａにおける突出部２５を一方の突出部２５と、該スペーサ２Ａに対して蓄電素子１を挟んで隣り合う他方の内部スペーサ２Ａにおける突出部２５を、他方の突出部２５という。
【００９２】
具体的には、図９に示すように、隣り合う内部スペーサ２Ａのうちの一方の突出部２５は、第一規制片２１６Ａにおける凸部２１４Ａに対応した位置からＹ軸方向に蓄電素子１側に突出している。また、他方の突出部２５は、第一規制片２１６Ａにおける凹部２１５Ａの両側にある二つの片のうちの一方の片に対応した位置から、Ｙ軸方向に蓄電素子１側に突出している。各突出部２５は、蓄電素子１の胴部１００ｂと、第一壁１００ｃから第二壁１００ｄに亘って当接している。従って、突出部２５は、ケース１０の形状に対応して二つの略長方形の板状部材が接続して屈曲している。
【００９３】
即ち、一方の突出部２５は、第一規制片２１６ＡのＸ軸方向全長に亘っており、凸部２１４Ａを通る位置にある。他方の突出部２５は、第一規制片２１６ＡのＸ軸方向全長に亘っており、Ｚ軸方向において凹部２１５Ａを躱した位置にある。
【００９４】
一方の突出部２５と、他方の突出部２５とは、一方の突出部２５の一部が他方の突出部２５の一部を覆うように配置されている。本実施形態では、第一規制片２１６ＡのＸ軸方向全長に亘っており、凸部２１４Ａを通る位置にある一方の突出部２５が、他方の突出部２５を覆うように配置されている。一方の突出部２５と他方の突出部２５との間にはＸ軸方向に延びる隙間が形成されている。
【００９５】
以上のように、本実施形態に係る蓄電装置は、少なくとも一つの蓄電素子１と、蓄電素子１を挟む少なくとも二つのスペーサ２と、を備え、スペーサ２のそれぞれは、蓄電素子１とスペーサ２とが並ぶ第一方向と直交する第二方向に冷却風を流通させる通風路２０３を形成する風路形成部２０４Ａと、第二方向の少なくとも一端に設けられた第一規制片２１６Ａと、を備え、蓄電素子１を挟んで隣り合うスペーサ２のうちの一方のスペーサ２の第一規制片２１６Ａと、他方のスペーサ２の第一規制片２１６Ａとは、第一方向及び第二方向と直交する第三方向視において、部分的に重なるように配置されていることを特徴とする。
【００９６】
かかる構成によれば、一方のスペーサ２の第一規制片２１６Ａと他方のスペーサ２の第一規制片２１６Ａとは、第三方向に亘って重なる。該重なる部分の第三方向に亘る長さは、第一規制片２１６Ａの第三方向の長さ（高さ）が同一であって該重なる部分が第三方向に真っすぐ延びる（該重なる部分の長さが第三方向において最短距離となる）場合と比較して、長くなる。従って、前記重なる部分を冷却風が流通する場合には、抵抗が大きくなり、冷却風の圧力損失が大きくなる。そのため、冷却風は、前記重なる部分を流れにくくなる。その結果、蓄電素子１が組み上げられた状態で前記重なる部分に隙間があいている場合、又は蓄電素子１の充電に伴う膨張によって前記重なる部分に隙間が形成される場合に、蓄電素子１の冷却に寄与する冷却風が減少するのを防ぐことができる。また、第一規制片２１６Ａの第三方向の長さ（高さ）を変えることなく、冷却風が流通する距離を長くすることができる。従って、第一規制片２１６Ａのサイズを上げることなく、冷却風による冷却効率の低下が抑制される。
【００９７】
この場合、スペーサ２は、風路規制部から第二方向に突出する少なくとも一つの突出部２５であって、風路規制部と対向する蓄電素子１に当接する突出部２５を備えていてもよい。
【００９８】
かかる構成によれば、蓄電素子１と風路規制部との間を第二方向に突出した突出部２５が部分的に塞ぐ。これにより、冷却風が、蓄電素子１と風路規制部との間を流通するのを妨げることができる。
【００９９】
この場合、一方のスペーサ２の第一規制片２１６Ａにおける突出部２５と、他方のスペーサ２の第一規制片２１６Ａにおける突出部２５が、第三方向視で部分的に重なるように配置されていてもよい。
【０１００】
かかる構成によれば、対向する突出部２５と突出部２５との間に隙間が形成される場合、該隙間は第三方向において貫通し、その途中位置で迂曲している。第一規制片２１６Ａと蓄電素子１との間に流入する冷却風は、該隙間が迂曲する部分で突出部２５と衝突する。冷却風が突出部２５と衝突すると、圧力損失が生じる。また、前記隙間が第三方向における途中位置で迂曲すると、冷却風が流通する距離が長くなる。従って、抵抗が大きくなり、冷却風の圧力損失が大きくなる。これにより、冷却風は、第一規制片２１６Ａと蓄電素子１との間に形成される隙間を流れにくくなる。その結果、蓄電素子１の冷却に寄与する冷却風が減少するのを防ぐことができる。従って、冷却風による冷却効率の低下が抑制される。
【０１０１】
また、この場合、一方のスペーサ２の第一規制片２１６Ａは、他方のスペーサ２の第一規制片２１６Ａに向けて突出する凸部２１４Ａを有し、他方のスペーサ２の第一規制片２１６Ａは、凸部２１４Ａに対応する凹部２１５Ａを有していてもよい。
【０１０２】
かかる構成によれば、凸部２１４Ａと凹部２１５Ａとの間に隙間が形成された場合、該隙間は第三方向において貫通し、その途中位置で迂曲している。前記隙間に流入する冷却風は、該隙間が迂曲する部分で流路壁と衝突する。冷却風が流路壁と衝突すると、圧力損失が生じる。即ち、凸部２１４Ａと凹部２１５Ａとの間に形成される隙間に迂曲する部分があると抵抗が大きくなり、冷却風の圧力損失が大きくなる。また、前記隙間が第三方向における途中位置で迂曲すると、冷却風が流通する距離が長くなり、更に圧力損失を大きくすることができる。そのため、凸部２１４Ａと凹部２１５Ａとの間に隙間が形成された場合でも、冷却風は、該隙間をより流れにくくなる。その結果、蓄電素子１の冷却に寄与する冷却風が減少するのを防ぐことができる。従って、冷却風による冷却効率の低下がより抑制される。
【０１０３】
なお、本発明に係る蓄電装置は、上記一実施形態に限定されるものではなく、本発明の要旨を逸脱しない範囲において種々変更を行うことは勿論である。
【０１０４】
上記実施形態において、蓄電装置は、蓄電素子１が組み上げられた状態で、隣り合うスペーサ２とスペーサ２との間に、第三方向に延びる隙間があいていたが、これに限定されるものではない。隣り合うスペーサ２同士が、第三方向視において部分的に重なるように配置される構成は、充電に伴う蓄電素子１の膨張によって、隣り合うスペーサ２とスペーサ２との間に隙間が形成された場合でも有効である。即ち、充電前には隣り合うスペーサ２同士は密接しつつも、充電に伴う蓄電素子１の膨張によって隣り合うスペーサ２とスペーサ２との間に隙間が形成されるような場合にも有効である。
【０１０５】
上記実施形態において、第一規制片２１６Ａ，２１６Ｂは、凸部２１４Ａ，２１４Ｂ又は凹部２１５Ａ，２１５Ｂを有している場合について説明したが、これに限定されない。図１０に示すように、第一規制片２１６Ａ，２１６Ｂは凸部２１４Ａ，２１４Ｂ又は凹部２１５Ａ，２１５Ｂを有さず、第一規制片同士が重なる部分は直線状であってもよい。また、第一規制片（風路規制部）２１６Ａ，２１６Ｂから蓄電素子１に向かって複数の突出部２５が形成され、突出部２５同士が第三方向視において部分的に重なるように配置されることが好ましい。
【０１０６】
上記実施形態において、各第一規制片２１６Ａは、凸部２１４Ａまたは凹部２１５Ａを一つ有しているが、各第一規制片２１６Ａが、凸部２１４Ａまたは凹部２１５Ａを一つ有しているものに限定されない。各第一規制片２１６Ａは、凸部２１４Ａまたは凹部２１５Ａを複数有していてもよい。そうすれば、凸部２１４Ａと凹部２１５Ａとの間に形成される隙間における迂曲する部分が増えるため、より抵抗が大きくなり、冷却風が該隙間を流通し難くなる。
【０１０７】
上記実施形態において、凸部２１４Ａまたは凹部２１５Ａは、略台形状に形成されているとしたが、略台形状に形成されたものに限定されない。凸部２１４Ａは、Ｓ字状、階段状（図１１に示す）、又は矩形状であってもよい。これに伴い、凹部２１５Ａは、凸部２１４Ａに対応した形状であってもよい。この場合、例えば、図１１に示すように、第一規制片（風路規制部）２１６Ａから蓄電素子１に向かって複数の突出部２５が形成され、突出部２５同士が第三方向視において部分的に重なるように配置されることが好ましい。
【０１０８】
上記実施形態においては、突出部２５は、第一規制片２１６Ａにおける凸部２１４Ａに対応した位置、又は第一規制片２１６Ａにおける凹部２１５Ａの両側にある二つの片のうちの一方の片に対応した位置からＹ軸方向に蓄電素子１側に突出している場合について説明したが、これに限定されるものではない。即ち、突出部２５同士が第三方向視において部分的に重なるように配置されていれば、第一規制片２１６Ａにおける凸部２１４Ａ及び凹部２１５Ａの配置に関わらず、Ｙ軸方向から第一規制片２１６Ａを見た場合に、突出部２５は、第一規制片２１６ＡのＸ軸方向の外縁からＸ軸方向にはみ出していてもよい。
【０１０９】
上記実施形態において、内部スペーサ２Ａが突出部２５を有している場合について説明したが、外部スペーサ２Ｂが突出部２５を有していてもよい。また、この場合、内部スペーサ２Ａの突出部２５と、外部スペーサ２Ｂの突出部２５が、第三方向視で部分的に重なるように配置されることが好ましい。
【０１１０】
上記実施形態において、内部スペーサ２Ａは、突出部２５を一つ有しているが、内部スペーサ２Ａが、突出部２５を一つ有しているものに限定されない。内部スペーサ２Ａは、突出部２５を複数有していてもよい。そうすれば、より抵抗が大きくなり、冷却風が内部スペーサ２Ａと蓄電素子１との間を流通し難くなる。
【０１１１】
上記実施形態において、蓄電装置を挟んで隣り合う一方の内部スペーサ２Ａの突出部２５と、他方の内部スペーサ２Ａの突出部２５は、第三方向で部分的に対向するように配置されていたが、これら突出部２５は、対向していなくてもよい。この場合、これらの突出部２５は、Ｚ軸方向で同じ高さに配置されていてもよく、また、Ｚ軸方向で異なった高さに配置されていてもよい。
【０１１２】
上記実施形態において、第一規制片２１６Ａ、２１６Ｂは、ベース２０Ａ，２０Ｂの四つの角部のそれぞれに沿って設けられたが、これに限定されない。第一規制片２１６Ａ、２１６Ｂは、スペーサ２のＹ軸方向における少なくとも一端であって、通風路２０３の入り口側となる一端における二つの角部に設けられていてもよい。
【０１１３】
上記実施形態において、吸気ファンを用いて冷却風を通風路２０３へ流し込む構成としていたが、これに限定されない。吸気ファンの代わりに排気ファンを用い、流体を吐き出す力を用いて冷却風を通風路２０３へ流す構成としてもよい。排気ファンを用いた場合、蓄電素子１の冷却に寄与しない流体（通風路２０３を通過しない流体）が、隣り合うスペーサ２とスペーサ２との間、又はスペーサ２と蓄電素子１との間の隙間を通じて発生し得る。しかし、隣り合うスペーサ２とスペーサ２との間、又はスペーサ２と蓄電素子１との間の隙間における流体の圧力損失が大きくなっている。このため、蓄電素子１の冷却に寄与する冷却風が減少するのを防ぐことができる。
【０１１４】
図８〜１１においては、蓄電素子１が組み上げられた状態で、隣り合うスペーサ同士の間に隙間が形成されてしまう場合を表しているが、これに限定されない。蓄電素子１が組み上げられた状態で、隣り合うスペーサ同士が密接していてもよい。
【０１１５】
上記実施形態において、内部スペーサ２Ａのベース２０Ａは、略矩形状であり、また、蓄電素子１の第一壁１００ｃと略同等の大きさになっている。しかしながら、内部スペーサ２Ａのベース２０Ａは、隣り合う二つの蓄電素子１のそれぞれの姿勢を対応させることができれば、略矩形状であるものに限定されず、また、蓄電素子１の第一壁１００ｃと略同等の大きさであるものにも限定されない。
【０１１６】
上記実施形態において、内部スペーサ２Ａのベース２０Ａは、矩形波形状にすることによって、該ベース２０Ａと蓄電素子１との間に通風路２０３を形成している。しかしながら、内部スペーサ２Ａのベース２０Ａは、第一面と蓄電素子１との間（第二面と蓄電素子２との間）に流体を通過させることができれば、ベース２０Ａの形状が矩形波形状であるものに限定されない。また、内部スペーサ２Ａのベース２０Ａと蓄電素子１との間に通風路２０３を形成する必要がない場合、内部スペーサ２Ａのベース２０Ａは、平板状に形成されていてもよい。
【０１１７】
上記実施形態において、内部スペーサ２Ａの各規制部２１Ａは、ベース２０Ａの角部のそれぞれに形成されている。しかしながら、内部スペーサ２Ａの規制部２１Ａは、ベース２０Ａに対する蓄電素子１の位置を決定することができれば、ベース２０Ａに形成される位置が限定されるものではない。
【０１１８】
上記実施形態において、外部スペーサ２Ｂのベース２０Ｂは、略矩形状であり、且つ蓄電素子１の第一壁１００ｃと略同等の大きさである。しかしながら、ベース２０Ｂは、隣り合う蓄電素子１の姿勢と終端部材３０の姿勢とを対応させることができれば、ベース２０Ｂは、略矩形状に形成されているものに限定されず、また、蓄電素子１の第一壁１００ｃと略同等の大きさで形成されているものにも限定されない。
【０１１９】
上記実施形態において、外部スペーサ２Ｂは、ベース２０Ｂの角部のそれぞれに規制部２１Ｂが形成されている。しかしながら、規制部２１Ｂは、ベース２０Ｂに対して蓄電素子１を配置する位置を決定することができれば、ベース２０Ｂに形成される位置が限定されるものではない。
【符号の説明】
【０１２０】
１…蓄電素子、２…スペーサ、２Ａ…内部スペーサ（スペーサ）、２Ｂ…外部スペーサ（スペーサ）、３…保持部材、４…インシュレータ、１０…ケース、１１…外部端子、２０Ａ…ベース、２０Ｂ…ベース、２１Ａ，２１Ｂ…規制部、２２Ａ…弁カバー部、２２Ｂ…嵌合部、２３Ｂ…軸部、２４Ｂ…外部接触部、２５…突出部、３０…終端部材、３１…フレーム、４０…第一絶縁部、４１…第二絶縁部、５…シール部材、６…冷却ダクト、１００…ケース本体、１００ａ…閉塞部、１００ｂ…胴部、１００ｃ…第一壁、１００ｄ…第二壁、１０１…蓋板、１０１ａ…ガス排出弁、２００Ａ…第一接続部、２０５Ａ…第二接続部、２０１Ａ，２０１Ｂ…支持部、２０２Ａ，２０２Ｂ…接続部、２０３…通風路、２０４Ａ，２０４Ｂ…風路形成部、２１０Ａ，２１０Ｂ…第一規制部、２１１Ａ，２１１Ｂ…第二規制部、２１２Ａ，２１２Ｂ…第三規制部、２１３Ａ，２１３Ｂ…第四規制部、２１４Ａ，２１４Ｂ…凸部、２１５Ａ，２１５Ｂ…凹部、２１６Ａ，２１６Ｂ…第一規制片（風路規制部）、２１７Ａ，２１７Ｂ…第二規制片、２２０Ｂ…延出部、３００…圧接部、３００ａ…挿込穴、３００ｂ…貫通穴、３１０…第一接続部、３１１…第二接続部
【図１】
0006258808.tif 000002
【図２】
0006258808.tif 000003
【図３】
0006258808.tif 000004
【図４】
0006258808.tif 000005
【図５】
0006258808.tif 000006
【図６】
0006258808.tif 000007
【図７】
0006258808.tif 000008
【図８】
0006258808.tif 000009
【図９】
0006258808.tif 000010
【図１０】
0006258808.tif 000011
【図１１】
0006258808.tif 000012
【図１２】
0006258808.tif 000013